(57)【要約】【課題】複数のミニトマトを包丁で一度に切断することができ、さらに茹でたジャガイモを半潰しにしても食材が飛び散らないで、洗いやすい調理器具を提供することである。【解決手段】ミニトマト１１をカットしたい高さに合わせて包丁移動容器２内に高さに応じた枚数の深さ調整板４を入れて高さを調整した後、食材となるミニトマト１１を入れ、その後、押さえ蓋３で複数のミニトマト１１を押さえながら包丁移動方向１８の矢印の方向に包丁１７を包丁移動面部１に押し付けながら移動させることで、一度にミニトマト１１を切断することができる、さらに茹でたジャガイモを半潰しにするときに潰す大きさに応じた枚数の深さ調整板４を入れて次に茹でたジャガイモを入れた後、押さえ蓋３で茹でたジャガイモを潰す調理器具。 【選択図】        図２
2019000309.tif 000002
【特許請求の範囲】
【請求項１】
底面部と側面部を有する容器の上面に包丁が移動する同一高さ面となる包丁移動面部を有する包丁移動容器と
食材を押さえる押さえ蓋と
前記包丁移動容器の中に入れて前記包丁移動容器の深さを浅くする複数の深さ調整板と
からなることを特徴とした調理器具。
【請求項２】
前記包丁移動容器の上面には包丁が移動する前記同一高さ面となる前記包丁移動面部と
前記同一高さ面より高く包丁を移動すると前記包丁の刃が当接して移動出来なくなる包丁ストッパー部と
を有することを特徴とした請求項１に記載の調理器具。
【請求項３】
前記包丁ストッパー部と前記押さえ蓋を固定するための構造となる包丁ストッパー固定部と
押さえ蓋固定部と
があることを特徴とした請求項１に記載の調理器具。
【請求項４】
前記包丁移動容器又は前記押さえ蓋の食材が接する面となる食材押さえ板の少なくとも一方は透明または半透明であることを特徴とした請求項１から請求項４までのいずれか１項に記載の調理器具。
【請求項５】
前記包丁移動容器又は前記押さえ蓋の食材が接する面となる前記食材押さえ板の少なくとも一方は弾性体であることを特徴とした請求項１から請求項５までのいずれか１項に記載の調理器具。
【請求項６】
前記包丁移動面部には前記包丁移動容器内に溜まった果汁等の液体を注ぐ注ぎ口があることを特徴とした請求項１又は請求項２に記載の調理器具。
【請求項７】
前記包丁ストッパー部の包丁の刃が当接する当接面は包丁が移動する同一高さ面に対して垂直に構成されていることを特徴とした請求項２又は請求項３に記載の調理器具。
【請求項８】
前記押さえ蓋に取り付けられている取っ手の取り付け位置の少なくとも１つは前記押さえ蓋の中心位置より前記押さえ蓋固定部に近い位置に取り付けられていることを特徴とした請求項１と請求項３から請求項５のいずれか１項に記載の調理器具。
【発明の詳細な説明】
【技術分野】
【０００１】
本発明は、食材を均一高さに切断したり半潰しにしたりする調理器具に関するものであ
る。
【背景技術】
【０００２】
従来、サンドイッチを作るときに、容易に形を整えて食べやすい形に切断したりパンの耳を切断したりする調理器具（例えば実用新案登録第３１０６９１５号公報）や、食材を潰すときに食材が飛び散らないような調理器具（例えば特開２００６−１８１３１０号公報）が提案されている。
【先行技術文献】
【特許文献】
【０００３】
【特許文献１】実用新案登録第３１０６９１５号公報
【特許文献２】特開２００６−１８１３１０号公報
【発明の概要】
【発明が解決しようとする課題】
【０００４】
サンドイッチを作るときの食パンは切断時に水分が出ないが、ブドウやミニトマトなど果物や野菜の種類により果汁が出る食材は次のような問題点があった。
【０００５】
包丁を移動させる位置に上下の溝があり、その溝に沿って包丁を移動させると均一な位置で食材を切断できる。
しかし上下の溝があるので果汁を含むブドウやミニトマトは果汁が上下の溝から出てしまい周辺を汚し、さらに細い溝部に付着した果汁は洗いにくいという問題があった。
また、茹でたジャガイモを半潰しにする場合は、調理器具の食材を押し潰す面に複数の穴や凹凸がある場合は食材がこびりつきやすいので洗いにくい。
また、調理器具に食材がこびりつくので食材を無駄にしてしまうという問題があった。
本発明の目的は、かかる従来技術の課題を解決するためになされたものである。
【課題を解決するための手段】
【０００６】
上記目的を達成するため、本発明に係る調理器具は、底面部と側面部を有する容器の上面に包丁が移動する同一高さ面となる包丁移動面部を有する包丁移動容器と
食材を押さえる押さえ蓋と
前記包丁移動容器の中に入れて前記包丁移動容器の深さを浅くする複数の深さ調整板
とからなることを特徴とする。
また、本発明に係る切断用調理器具は、前記包丁移動容器の上面には包丁が移動する前
記同一高さ面となる前記包丁移動面部と
前記同一高さ面より高く包丁を移動すると前記包丁の刃が当接して移動出来なくなる包丁ストッパー部と
を有することを特徴とする。
また、本発明に係る切断用調理器具は、
前記包丁ストッパー部と前記押さえ蓋を固定するための構造となる包丁ストッパー固定部と
押さえ蓋固定部と
があることを特徴とする。
【０００７】
さらに、前記包丁移動容器又は前記押さえ蓋の食材が接する面となる食材押さえ板の少なくとも一方は透明または半透明であることが好ましい。
さらに、前記包丁移動容器又は前記押さえ蓋の食材が接する面となる前記食材押さえ板の少なくとも一方は弾性体であることが好ましい。
また、前記包丁移動面部には前記包丁移動容器内に溜まった果汁等の液体を注ぐ注ぎ口があることが好ましい。
さらに、前記包丁ストッパー部の包丁の刃が当接する当接面は包丁が移動する同一高さ面に対して垂直に構成されていることが好ましい。
また、前記押さえ蓋に取り付けられている取っ手の取り付け位置の少なくとも１つは前記押さえ蓋の中心位置より前記押さえ蓋固定部に近い位置に取り付けられていることを特徴とする。
【発明の効果】
【０００８】
本発明の調理器具は、次のような効果がある。
食材を入れる容器には包丁を移動させるための溝がないので果汁が外に流れ出ないので周辺を汚さない。
また溝がないので容器が洗いやすい。
さらに食材を半潰しにする潰し面には穴や凹凸がないので、食材がこびりつきにくいため洗いやすいという調理器具を提供することである。
【図面の簡単な説明】
【０００９】
【図１】本発明の実施例１における食材の切断を説明する立体図。
【図２】本発明の実施例１における切断時の立体図
【図３】本発明の実施例１の切断開始時の側面図（a）と切断終了時の側面図（b）
【図４】本発明の実施例１における食材の半潰しを説明する立体図
【図５】本発明の実施例１における食材の半潰しを説明する側面図
【図６】本発明の実施例１における食材の半潰しを説明する側面図
【図７】本発明の実施例２における切断開始時の側面図
【図８】本発明の実施例２における切断終了時の側面図
【図９】本発明の実施例３における食材の切断を説明する立体図
【図１０】本発明の実施例３における切断開始時の側面図
【図１１】本発明の実施例３における切断終了時の側面図
【図１２】本発明の実施例３における円柱取っ手の押さえ蓋の上面図
【図１３】本発明の実施例３におけるコの字取っ手の押さえ蓋の上面図
【図１４】本発明の実施例３における食材の半潰しを説明する立体図
【図１５】本発明の実施例３における食材を分離させているＡ-Ａ断面図
【発明を実施するための形態】
【００１０】
以下に図面を用いて本発明に係る実施の形態につき詳細に説明する。また、本発明はこれらの図面に限定されるものではない。さらに、図面に付した符号は、異なる図面においても同じ名称の部分には同じ符号を用いた。
【実施例１】
【００１１】
図１は本発明の実施例１における食材の切断を説明する立体図であり、包丁が移動する
面となる包丁移動面部１、包丁移動容器の底面部１５と包丁移動容器の側面部１６がある包丁移動容器２、切断する食材となるミニトマト１１、食材を上面から押さえる押さえ蓋３、食材の切断位置を調整するために包丁移動容器の底面部１５に深さ調整板４、を入れることで深さ調整板の厚さ１２だけ深さを浅くする深さ調整板４、コの字取っ手１３と食材を押さえる面となる食材押さえ板１４で構成された押さえ蓋３、包丁が一定の高さで移動できるように高さを示した包丁移動面部の同一高さ１９、透明又は半透明の食材押さえ板１４の上面からコの字取っ手１３までの取っ手隙間の最大高さ３０である。
【００１２】
ミニトマト１１半分に切断する場合は、ミニトマト１１を包丁移動容器２に入れて包丁が移動する切断面となる包丁移動面部１の高さがミニトマトを半分に切断する高さと同じか確認する。
包丁移動面部１の高さが高い場合は、深さ調整板４を包丁移動容器の底面部１５に入れて包丁移動面部１の高さがミニトマト１１を半分に切断する高さと同じになるように合わせる。
もちろん深さ調整板の厚さ１２は異なる厚さや同じ厚さなどがあるので、深さ調整板４の枚数や厚さを調整することで、ミニトマト１１を半分に切断する高さを調整することが出来る。
その後、ミニトマト１１を深さ調整板４の上に入れた後、押さえ蓋３でミニトマト１１を上から押さえる。
【００１３】
図２は図１で説明した本発明の実施例１における切断時の立体図であり、図３は図１で説明した本発明の実施例１の切断開始時の側面図（a）と切断終了時の側面図（b）であり、包丁１７、包丁移動方向１８、切断箇所１０である。
包丁１７の平らな面を包丁移動面部１に押しつけて接触させながら包丁１７を包丁移動方向１８へ移動させることで、複数のミニトマト１１を一度に半分に切断することが出来る。
また図４は本発明の実施例１における食材の半潰しを説明する立体図であり、図５と図６は図４で説明した本発明の実施例１における食材の半潰しを説明する側面図で、蒸かしたジャガイモ２１、取っ手による加圧方向２０が記載されている。
本願の調理器具を使用して蒸かしたジャガイモ２１を半潰しにする場合は、はじめに準備として、半潰しの大きさを小さくして触感を滑らかにしたい場合には厚みのある深さ調整板４を入れるか複数枚の深さ調整板４を入れて包丁移動容器２の深さを浅くする。
【００１４】
また半潰しの大きさを大きくして食べたときの触感を楽しみたい場合は、薄い厚みの
深さ調整板４を入れるか、または深さ調整板４を使用しないで直接食材を包丁移動容器の底面部１５に入れることで包丁移動容器２の深さを深くする。
お好みに合った深さに調整した後、蒸かしたジャガイモ２１を包丁移動容器２に中に
入れ、押さえ蓋３を押しつけて蒸かしたジャガイモ２１を潰す。
図５と図６が示すように蒸かしたジャガイモ２１は深さ調整板４により一定の厚みで潰されるので、半潰しの大きさを調整することが出来る。
また、食材押さえ板１４の外周位置は包丁移動面部１の外周位置より外側方向に0.8ｃｍ〜5ｃｍ大きいので、コの字取っ手１３で食材押さえ板１４を押して変形させても包丁移動面部１を食材押さえ板１４が覆うのでジャガイモ２１が外に飛び出さないという効果がある。
【００１５】
また、透明又は半透明の食材押さえ板１４の上面からコの字取っ手１３までの取っ手隙間の最大高さ３０が３ｃｍ以下だと、取っ手を握った時に手が蓋の上を覆い食材が見えなくなるという問題があった。
そのために、取っ手隙間の最大高さ３０は３ｃｍ〜７ｃｍが良く３．５cm〜５ｃｍがより良い。
このような取っ手隙間の最大高さ３０にすることで、コの字取っ手１３を握っても、取っ手隙間の最大高さ３０の間から透明又は半透明の食材押さえ板１４の上面が見えるので食材が見えやすくなるという効果がある。
さらに包丁移動容器２の材質をPP(ポリプロピレン)やEVA（エチレン酢酸ビニルコポリマー）にすることで、包丁移動容器２が半透明になるので、深さ調整板４にて食材の切断位置を調整するときにも外側から食材が見えるので切断高さを決めやすいという効果もある。
さらに、食材押さえ板１４の材質もPP（ポリプロピレン）やEVA（エチレン酢酸ビニルコポリマー）にすることで、食材押さえ板１４が半透明になるので、食材を潰している状態を確認することが出来るため、上手く押しつぶされているかが判りやすくなるという効果もある。
【００１６】
他の材質としてはフードコンテナに使用される材質、たとえばAS(アクリロニトリル・スチレン）、PET(ポリエチレンテレフタレート) 、PE(ポリエチレン)、PS（ポリスチレン）、シリコン樹脂などを包丁移動容器２と食材押さえ板１４が別々の材質になるように組み合わせて使用しても良い。
また、食材押さえ板１４の外周は食材側にかぶさるように湾曲している形状でも良い。
このような形にすることで食材に食材押さえ板１４が被さるので食材が外に飛び出しにくくなるため食材を押さえつけやすくなるという効果がある。
また、同一厚みの深さ調整板４は同じ色にすることで見てすぐに同じ厚さかわかるので使いやすくなる。さらに深さ調整板４のには厚みを記載することでよりわかりやすい。
【００１７】
また、図には記載しないが包丁移動面部１から包丁移動容器の底面部１５の間に目盛を付けることでより使いやすくなる。
たとえば包丁移動面部１を起点（ゼロ）の目盛として包丁移動容器の底面部１５方向に目盛を加算して付けておくと、切断したい食材を包丁移動容器２に入れた状態で食材をカットしたい位置の目盛を読み、その目盛分だけの深さ調整板４を包丁移動容器２に入れれば深さが調整される。
その後、その食材を包丁移動容器２に入れると切断したい位置に包丁移動面部１の起点（ゼロ）の位置になるので１回で簡単に深さを調整することが出来るという効果がある。
【実施例２】
【００１８】
図７は本発明の実施例２における切断開始時の側面図と図８は本発明の実施例２における切断終了時の側面図であり、包丁が移動する面となる包丁移動面部１、包丁移動容器２、切断する食材となるミニトマト１１、食材を上面から押さえる押さえ蓋３、コの字取っ手１３と食材を押さえる押さえ蓋３の食材を押さえる面となる食材押さえ板１４、包丁が一定の高さで移動できるように高さを示した包丁移動面部の同一高さ１９、包丁ストッパー部５が形成されている。
図示されていないが実施例１と同様に深さ調整板４が包丁移動容器２の中に入っておりその上にミニトマト１１が置かれた状態である。
【００１９】
実施例２は包丁１７の平らな面を包丁移動面部１に押しつけて接触させながら包丁１７を包丁移動方向１８へ移動させることで、複数のミニトマト１１を切断した後に包丁１７が包丁移動容器２から飛び出さないように包丁移動面部１の高さより高く形成された包丁ストッパー部５があり、包丁１７の刃が包丁ストッパー部５に当接するため包丁１７が移動できなくなり包丁移動容器２から包丁１７が飛び出さなくなることで安全に食材を切断できるという効果がある。
また、図示しないが、図７と図８の包丁ストッパー部５を素材の高さより高くしても、包丁ストッパー部５の包丁１７の刃の当接面と食材押さえ板１４の端面を接触させて使用することが可能なので、手が滑って包丁１７が上方向に移動しても包丁ストッパー部５の高さが高いため包丁１７の刃が包丁ストッパー部５に当たり包丁１７が外に飛び出さなくなりさらに安全に切断が出来る。
【００２０】
さらに包丁移動容器２をポリプロピレンやEVA樹脂（エチレン酢酸ビニルコポリマー）にすることで、包丁移動容器２が半透明になるので、深さ調整板４にて食材の切断位置を調整するときにも外側から食材が見えるので切断高さを決めやすいという効果もある。
さらに、食材押さえ板１４をポリプロピレンやEVA樹脂（エチレン酢酸ビニルコポリマー）にすることで、食材押さえ板１４が半透明になるので、食材を潰している状態を確認することが出来るため、上手く押しつぶされているかが判りやすくなるという効果もある。
また、食材押さえ板１４の外周は食材側にかぶさるように湾曲している形状でも良い。
このような形にすることで食材に食材押さえ板１４が被さるので食材が外に飛び出しにくくなるため食材を押さえつけやすくなるという効果がある。
【実施例３】
【００２１】
図９は本発明の実施例３における食材の切断を説明する立体図であり、図１０は本発明の実施例３における切断開始時の側面図で図１１は本発明の実施例３における切断終了時の側面図である。
包丁１７が移動する面となる包丁移動面部１、包丁移動容器２、切断する食材となるミニトマト１１、食材を上面から押さえる押さえ蓋３、コの字取っ手１３と食材を押さえる押さえ蓋３の食材を押さえる面となる食材押さえ板１４、包丁が一定の高さで移動できるように高さを示した包丁移動面部の同一高さ１９、包丁の移動する方向を示す包丁移動方向１８、包丁１７の刃が当接して包丁が移動できなくなり停止する包丁ストッパー部５、包丁移動容器２内に溜まった果汁を注ぐ注ぎ口８、切断箇所１０、包丁移動面部１に対して包丁ストッパー部５の角度が垂直となる垂直部９、包丁移動容器２と押さえ蓋３を固定する箇所となる包丁ストッパー部５に形成されている包丁ストッパー固定部６と食材押さえ板１４に形成されている押さえ蓋固定部７、透明又は半透明の食材押さえ板１４の上面からコの字取っ手１３までの取っ手隙間の最大高さ３０である。
【００２２】
実施例３も実施例１と同様にミニトマト１１の切断する位置に合わせた深さ調整板４を包丁移動容器２にセットし、その後ミニトマト１１を包丁移動容器２に入れ、その後、包丁ストッパー固定部６の凸部に押さえ蓋固定部７の長穴を挿入することで包丁移動容器２と押さえ蓋３が嵌合して固定される。
包丁ストッパー固定部６の上面の凸部は蓋固定部７の長穴に挿入しやすくするために円又は楕円形状の凸部であることで挿入しやすくなるという効果がある。
包丁ストッパー固定部６の高さが高いので、押さえ蓋３は上下方向には移動できるが平面方向には移動できないのでミニトマト１１を切断するときに押さえ蓋３が平面方向にズレないので安定して切断が出来るという効果がある。
また切断時にミニトマト１１から出た果汁は包丁移動容器２の中に溜まるので注ぎ口８から容易に果樹を取り出すことが出来るので、果汁のでる食材を無駄にしないという効果がある。
【００２３】
さらに、包丁移動面部１に対して包丁ストッパー部５の角度が垂直となる垂直部９があることで包丁１７の刃と包丁ストッパー部５が垂直に当接するのでミニトマト１１を確実に切断することが出来る。
また包丁ストッパー部５の形状は包丁移動面部１に対して垂直な面でなくとも包丁移動面部１に対して垂直な線でも良い、図示しないが包丁移動面部１に対して垂直な円柱形状でも切断は出来る。
【００２４】
図１２は本発明の実施例３における円柱取っ手の押さえ蓋の上面図であり、図１３は本発明の実施例３におけるコの字取っ手の押さえ蓋の上面図であり、円柱取っ手２５、コの字取っ手１３、押さえ蓋中心位置２３、取っ手取り付け中心位置２４、取っ手取り付け長さ２２、押さえ蓋３、食材押さえ板１４、押さえ蓋固定部７である。
円柱取っ手２５やコの字取っ手１３の取り付け位置２４の少なくとも１つは、押さえ蓋固定部７側に近い取っ手取り付け長さ２２に位置に取り付けられている。
これは食材の切断時、包丁１７は食材を押して押さえ蓋固定部７側に食材が移動する、その後包丁１７で食材が切断される。
よって、食材押さえ板１４が弾性体の場合は食材が移動した位置で食材の上から取っ手による加圧方向２０により押さえる方が食材をより安定して押さえられる。
取っ手取り付け長さ２２は押さえ蓋固定部７の中心位置から押さえ蓋固定部７に近い取っ手取り付け位置の中心までの長さを示す。
例えばコの字取っ手１３のように２カ所の取っ手取り付け中心位置２４がある場合は少なくとも１つは取っ手取り付け長さ２２の範囲に取っ手が取りついていることで、食材が包丁１７で押されて移動しても安定して食材を上面から押さえることが出来る。
さらに、この取っ手取り付け長さ２２は１ｃｍ〜７ｃｍが良く、最も良いのは１．５ｃｍから４ｃｍの範囲が良い。
【００２５】
図１４は本発明の実施例３における食材の半潰しを説明する立体図であり、図１５は本発明の実施例３における食材を分離させているＡ-Ａ断面図であり、取っ手による加圧方向２０、円柱取っ手２５、半分に切断したゆで卵２６、指で押し込んだ位置２７、指２８である。
図１４（a）は、ゆで卵を半潰しにするために図示されていない深さ調整板４を半潰しの大きさに合わせて包丁移動容器２に中に入れた後、ゆで卵２６を半分にカットして包丁移動容器２に中に入れる。もちろん包丁移動容器２の形状や半潰しの大きさによりゆで卵はカットしなくてもよい。たとえば図示しないが包丁移動容器と押さえ蓋と深さ調整板が円形の場合には食材は放射状に潰れるので円形の容器にすることで容器のスペースを効率よく使うことが出来る。
【００２６】
その後、包丁ストッパー固定部６は上方向に凸部が形成された形状で包丁ストッパー固定部６に押さえ蓋固定部７の長穴を挿入することで包丁移動容器２と押さえ蓋３が嵌合して平面方向は固定される。
包丁ストッパー固定部６の凸部の高さが高いので、押さえ蓋３は上下方向には移動できるが平面方向には移動できないので、ゆで卵２６を潰すときに押さえ蓋３を下方向の押し潰す方向に移動しながら潰すことが可能で、さらに押さえ蓋３は平面方向に移動しないので安定して押し潰すことが出来るという効果がある。
また、ゆで卵２６の白身は弾性体であるため、一定の深さで押し付けてもまた元に戻るため分離できない。
そこで、食材押さえ板１４や包丁移動容器２の材質を弾性体の材質、例えばポリプロピレンやEVA樹脂（エチレン酢酸ビニルコポリマー）にすることで弾性のある材質にする。
図１５はＡ-Ａ断面からみた卵２６の分離状態の図であり食材押さえ板１４と包丁移動容器２が弾性体であるため変形するので、食材押さえ板１４の上から指２８でゆで卵２６を深さ調整板４に押し付けることでゆで卵２６を潰して２つに分離している。
【００２７】
このように食材が弾性のある食材でも分離して細かく潰すことが出来るという効果が
ある。
また、食材押さえ板１４の外周位置は包丁移動面部１の外周位置より外側方向に0.8ｃｍ〜5ｃｍ大きいので指２８で食材押さえ板１４を指で押し込んだ位置２７方向に押して変形させても包丁移動面部１を食材押さえ板１４が覆うので、ゆで卵２６が外に飛び出さないという効果がある。
さらに、食材押さえ板１４をポリプロピレンやEVA樹脂（エチレン酢酸ビニルコポリマー）にすることで、食材押さえ板１４が半透明になるので、食材を潰している状態を確認することが出来るため、どこの部分を指２８で押しつぶして分離すればいいかが判りやすくなるという効果もあり。
さらに包丁移動容器２をポリプロピレンやEVA樹脂（エチレン酢酸ビニルコポリマー）にすることで、包丁移動容器２が半透明になるので、深さ調整板４にて食材の切断位置を調整するときににも外側から食材が見えるので切断高さを決めやすいという効果もある。
他の材質としてはフードコンテナに使用される材質、たとえばAS(アクリロニトリル・スチレン）、PET(ポリエチレンテレフタレート) 、PE(ポリエチレン)、PS（ポリスチレン）、シリコン樹脂などを包丁移動容器２と食材押さえ板１４が別々の材質になるように組み合わせて使用しても良い。
【００２８】
また、食材押さえ板１４の外周は食材側にかぶさるように湾曲した形状でも良い。
このような形にすることで食材と食材押さえ板１４の位置がさらにズレにくくなるので、より食材を固定しやすくなるという効果がある。
さらに、透明又は半透明の食材押さえ板１４の上面からコの字取っ手１３までの取っ手隙間の最大高さ３０が３ｃｍ以下だと、取っ手を握った時に手が蓋の上を覆い食材が見えなくなるという問題があった。
そのために、取っ手隙間の最大高さ３０は３ｃｍ〜７ｃｍが良く３．５cm〜５ｃｍがより良い。
このような取っ手隙間の最大高さ３０にすることで、コの字取っ手１３を握っても、取っ手隙間の最大高さ３０の間から透明又は半透明の食材押さえ板１４の上面が見えるので食材が見えやすくなるという効果がある。
また、図には記載しないが包丁移動面部１から包丁移動容器の底面部１５の間に目盛を付けることでより使いやすくなる。
また、同一厚みの深さ調整板４は同じ色にすることで見てすぐに同じ厚さかわかるので使いやすくなる。さらに深さ調整板４のには厚みを記載することでよりわかりやすい。
【００２９】
また、図には記載しないが包丁移動面部１から包丁移動容器の底面部１５の間に目盛を付けることでより使いやすくなる。
たとえば包丁移動面部１を起点（ゼロ）の目盛として包丁移動容器の底面部１５方向に目盛を加算して付けておくと、切断したい食材を包丁移動容器２に入れた状態で食材をカットしたい位置の目盛を読み、その目盛分だけの深さ調整板４を包丁移動容器２に入れれば深さが調整される。
その後、その食材を包丁移動容器２に入れると切断したい位置に包丁移動面部１の起点（ゼロ）の位置になるので１回で簡単に深さを調整することが出来るという効果がある。
【符号の説明】
【００３０】
包丁移動面部１、包丁移動容器２、押さえ蓋３、深さ調整板４、包丁ストッパー部５、
包丁ストッパー固定部６、押さえ蓋固定部７、注ぎ口８、垂直部９、切断箇所１０、ミニトマト１１、深さ調整板の厚さ１２、コの字取っ手１３、食材押さえ板１４、包丁移動容器の底面部１５、包丁移動容器の側面部１６、包丁１７、包丁移動方向１８、包丁移動面部の同一高さ１９、取っ手による加圧方向２０、蒸かしたジャガイモ２１、取っ手取り付け長さ２２、押さえ蓋中心位置２３、取っ手取り付け中心位置２４、円柱取っ手２５、ゆで卵２６、指で押し込んだ位置２７、指２８、挿入方向２９、取っ手隙間の最大高さ３０
【図１】
2019000309.tif 000003
【図２】
2019000309.tif 000004
【図３】
2019000309.tif 000005
【図４】
2019000309.tif 000006
【図５】
2019000309.tif 000007
【図６】
2019000309.tif 000008
【図７】
2019000309.tif 000009
【図８】
2019000309.tif 000010
【図９】
2019000309.tif 000011
【図１０】
2019000309.tif 000012
【図１１】
2019000309.tif 000013
【図１２】
2019000309.tif 000014
【図１３】
2019000309.tif 000015
【図１４】
2019000309.tif 000016
【図１５】
2019000309.tif 000017